(57)【要約】      （修正有）【課題】木造軸組住宅の耐力面材からなる耐力壁において、耐力面材を構造材に固定する釘の釘頭が耐力面材を貫通してしまうパンチングシアを防止して、耐力面材を固定する釘を所定の本数で所定の位置に正確に打ち込むことが容易で、さらに耐力面材への位置合わせが容易な、耐力壁の壁強さ倍率を高くする補強材を提供する。【解決手段】補強材４は、長さが上記耐力面材の短辺の長さよりも短く、幅が上記釘の胴部の直径の６倍から１７倍の範囲の長さで、厚さが０．５ｍｍ以下からなる短冊状の薄い金属板からなる。また、上記補強材の表面には、所定の壁強さ倍率を持たせるための釘打ち位置が表示されていて、好ましくは、補強材を耐力面材に仮止めする突出部が、上記補強材の両端部を含めて２カ所以上に形成されていて、補強材を耐力面材に仮止めする突出部が穴フランジであることを特徴としている。【選択図】図５
0003175563.tif 000002
【実用新案登録請求の範囲】
【請求項１】
木造軸組住宅の耐力面材からなる耐力壁において、
耐力面材を構造材に固定する釘の釘頭と該耐力面材との間に挟み込まれる補強材であって、
上記補強材は、長さが上記耐力面材の短辺の長さよりも短く、幅が上記釘の胴部の直径の６倍から１７倍の範囲の長さで、厚さが０．５ｍｍ以下からなる短冊状の薄い金属板からなり、
上記補強材の表面には、所定の壁強さ倍率を持たせるための釘打ち位置が表示されていることを特徴とする補強材。
【請求項２】
補強材を耐力面材に仮止めする突出部が、上記補強材の両端部を含めて２カ所以上に形成されていることを特徴とする請求項１に記載の補強材。
【請求項３】
突出部が穴フランジからなることを特徴とする請求項２に記載の補強材。
【請求項４】
突出部が釘打ち位置と重なって形成されていることを特徴とする請求項２から３に記載の補強材 
【考案の詳細な説明】
【技術分野】
【０００１】
本考案は、木造軸組住宅の耐力面材からなる耐力壁において、耐力壁の壁強さ倍率を高くする技術に関するものである。
【背景技術】
【０００２】
耐力壁に使用される耐力面材として、例えば構造用合板を使用する場合、幅３尺×長さ９尺×厚さ９ｍｍの寸法のものを、建築基準法の施工例に従って木造軸組に釘打ち固定すると、壁強さ倍率（建築基準法施行令第４６条の基準による壁の強さ）が２．５倍の耐力壁が得られる。
【０００３】
ところで、一部の耐力壁のみの壁強さ倍率を高くする方法としては、例えば所定の筋交いを追加して壁強さ倍率を３．５倍としたり、筋交いを襷がけに追加して壁強さ倍率を４．５倍としたり、あるいは、耐力面材の厚さを変更する等によって壁強さ倍率を高める方法が行われている。
【０００４】
しかしながら、筋交いを追加する方法や耐力面材の厚さを変更する方法は、筋交いを追加する手間が増えたり、壁下地に不陸が発生するなど施工性を損なうという問題があった。
【０００５】
筋交いを追加する方法や耐力面材の厚さを変更する方法以外の方法で壁強さ倍率を高める方法としては、耐力面材を固定する釘の打ち込み本数を増やす方法や、釘の太さを太くするという方法が試みられている。しかし、釘の打ち込み本数を増やす方法では、釘を打ち込む本数が増加することにより手間が増えて作業性が損なわれてしまう。
【０００６】
一方、釘を太くする方法は、耐力面材や構造材に亀裂を引き起こして施工不良を発生させる危険性が高く、さらに釘接合のせん断耐力測定においては、釘頭が耐力面材を貫通してパンチングシアが発生することによって、壁強さ倍率を高くすることが困難であった。
【０００７】
特に、家屋内部の湿気を家屋の外側に排出し易く通気性の良好な耐力面材として好ましく使用されている、例えば針葉樹合板、中比重繊維板（ＭＤＦ）、火山性ガラス質複層板、パルプ・けい酸質混入セメント板などのように気乾比重が０．６〜１．０前後と比重の低い耐力面材を使用する場合、パンチチングシアが特に発生し易く、釘を太くすることによって耐力壁の壁強さ倍率を高めることは困難とされていた。
【先行技術文献】
【特許文献】
【０００８】
【特許文献１】特開２０１０−７４５４号公報
【特許文献２】特開２００６−２８８０５号公報
【特許文献３】特開２００３−３６７６号公報
【特許文献４】特開２００３−３５９２号公報
【考案の概要】
【考案が解決しようとする課題】
【０００９】
本考案は、木造軸組住宅の耐力面材からなる耐力壁において、耐力面材を構造材に固定する釘の釘頭が耐力面材を貫通してしまうパンチングシアを防止して、耐力面材を固定する釘を所定の本数で所定の位置に正確に打ち込むことが容易で、さらに耐力面材への位置合わせが容易な、耐力壁の壁強さ倍率を高くする補強材を提供することを目的としている。
【課題を解決するための手段】
【００１０】
本考案は、上記課題を解決することを目的するものであり、本考案の補強材は、木造軸組住宅の耐力面材からなる耐力壁において、耐力面材を構造材に固定する釘の釘頭と該耐力面材との間に挟み込まれる補強材であって、上記補強材は、長さが上記耐力面材の短辺の長さよりも短く、幅が上記釘の胴部の直径の６倍から１７倍の範囲の長さで、厚さが０．５ｍｍ以下からなる短冊状の薄い金属板からなり、上記補強材の表面には、所定の壁強さ倍率を持たせるための釘打ち位置が表示されていることを特徴とする。
【００１１】
ここで、補強材が耐力面材を構造材に固定する釘の釘頭と耐力面材との間に挟み込まれるので、釘頭が耐力面材にくい込むパンチングシア現象が発生しにくく、高い壁強さ倍率の耐力壁とすることができる。さらに、補強材の長さが上記耐力面材の短辺の長さよりも短く、補強材の幅が上記釘の胴部の直径の６倍から１７倍の長さで、補強材の厚さが０．５ｍｍ以下からなる短冊状の薄鋼板からなるので、作業者が片手で持って作業することができるほど補強材の形状がコンパクトかつ軽量で作業性が良い。さらに、パンチングシア現象を防止するために必要とされる強度を保持する幅と厚さに補強材の形状を限定しているので、材料費を低減することができる。さらに、補強材の表面には所定の壁倍率を得るための釘打ち位置が表示されているので、所定の本数の釘を正確な釘打ち間隔で施工することができる。したがって、釘打ち間隔の不揃いや釘の打ち込み本数が少ないといった施工不良の発生を防止することができる。
【００１２】
なおここで、上記構成において、補強材を耐力面材に仮止めする突出部が、上記補強材の両端部を含めて２カ所以上に形成されていることが好ましい。
【００１３】
上記構成により、耐力面材を構造材に固定する前に突出部を耐力面材に嵌入することによって、補強材を耐力面材に一時的に仮止めすることができる。したがって耐力面材を構造材に固定する前に、補強材を耐力面材の所定の位置に合わせて正確に仮止めすることができる。さらに、耐力面材を構造材に固定する際には耐力面材を地面に対して垂直に立てることが必要となるが、上記構成によれば耐力面材に仮止めされた補強材は耐力面材から脱落することが無いので、補強材を耐力面材に対して手で押さえること無しに補強材と耐力面材を構造材に釘で固定することができる。
【００１４】
なおここで、上記構成において、補強材を耐力面材に仮止めする突出部が穴フランジであることが好ましい。ここで穴フランジの形状は、耐力面材に容易に嵌入できて補強材が耐力面材に仮止めできる形状であればどのような形状でも良い。例えば穴フランジの穴の形状は丸以外にも楕円、四角、三角等どのような形状の穴でもよく、穴フランジは補強材の表面に対して垂直に立設されているのであれば穴フランジの先端は割れて縁がギザギザになっている形状も含めてどのような形状でも良い。なお、穴フランジの加工はプレスを使用することによって、補強材を製造する工程の中で容易に加工することができる。
【００１５】
上記構成により、穴フランジのフランジが耐力面材に容易に嵌入することができ、補強材は耐力面材から脱落しにくくなる。
【００１６】
なおここで、上記構成において、上記突出部が釘打ち位置と重なって形成されていることが好ましい。
【００１７】
上記構成により、釘打ち位置の表示と突出部の加工を同時に行うことができるので補強材の加工工程を削減することができる。さらに、突出部を釘打ち位置の表示と混同することを防止することができる。
【考案の効果】
【００１８】
本考案の補強材によれば、補強材の形状がコンパクトかつ軽量な短冊状の薄鋼板からなるので、作業者が片手で持って作業をすることができて作業性が良い。さらに釘を打ち込まない耐力面材の場所には補強材は配置されないので、補強材の材料は少なくすみ、材料費が削減できる。
【００１９】
さらに高い壁強さ倍率とするためには通常の施工で使用される釘よりも太い釘を使用するように指定されるが、本考案の補強材を使用すれば、太い釘を正確な釘打ち間隔を維持しながら補強材を介して耐力面材を構造材に固定することができるので、釘打ち間隔の不揃いや釘の打ち込み本数不足あるいは構造材から釘が外れるなどの施工不良の発生を防止して、高い壁強さ倍率を安定して施工することが可能となる。
【００２０】
また、耐力面材を構造材に固定する前に突出部を耐力面材に嵌入することによって、補強材を耐力面材に一時的に仮止めすることができるので、耐力面材を構造材に固定する前に、補強材を耐力面材の所定の位置に合わせて正確に仮止めすることができる。さらに、耐力面材を構造材に固定する際には耐力面材を地面に対して垂直に立てることが必要となるが、本考案の補強材を使用すれば、耐力面材に仮止めされた補強材は耐力面材から脱落することが無いので、補強材を耐力面材に対して手で押さえること無しに補強材と耐力面材を構造材に釘で固定することができる。
【図面の簡単な説明】
【００２１】
【図１】耐力面材を構造材に固定する釘の釘頭と耐力面材との間に補強材を挟み込んだ状態で釘接合のせん断耐力を測定する説明図。
【図２】木造軸組住宅の軸組を説明する図。
【図３】図２の木造軸組に耐力面材を施工した状態を説明する図。
【図４】本考案の補強材の模式図。
【図５】本考案の補強材を使用して壁強さ倍率を高くした耐力壁を示す図
【図６】本考案の補強材の釘打ち位置の第１実施例であって、（ａ）は図４のＡ−Ａでの断面図。（ｂ）は図４のＡ−Ａでの平面図。
【図７】本考案の補強材の釘打ち位置の第２実施例であって、（ａ）は図４のＡ−Ａでの断面図。（ｂ）は図４のＡ−Ａでの平面図。
【図８】本考案の補強材の突出部の第１実施例であって、（ａ）は図４のＢ−Ｂでの断面図。（ｂ）は図４のＢ−Ｂでの平面図。
【図９】本考案の補強材の突出部の第２実施例であって、（ａ）は図４のＢ−Ｂでの断面図。（ｂ）は図４のＢ−Ｂでの平面図。（Ｃ）は図４のＢ−Ｂ中央部での側部断面図。
【図１０】本考案の補強材の突出部の第３実施例であって、（ａ）は図４のＢ−Ｂでの断面図。（ｂ）は図４のＢ−Ｂでの平面図。
【考案を実施するための形態】
【００２２】
以下、本考案を実施するための最良の形態について、図面にしたがって具体的に説明するが、本考案は、以上述べた実施例に限定されるものではない。
【００２３】
本考案は、木造軸組住宅の耐力面材からなる耐力壁において、耐力面材を構造材に固定する釘の釘頭と耐力面材との間に挟み込まれる補強材の考案である。
【００２４】
図４は、本考案の補強材を説明する斜視図である。本考案の補強材４は短冊状の形状からなる薄い金属板からなり、補強材４の材質は金属であればどのような種類の金属であっても良く、好ましい金属板としては塗装溶融アルミニュム亜鉛めっき鋼板のように耐蝕性に優れた金属板であると補強材の耐久性が向上して好ましい。
【００２５】
補強材の厚さ３３は厚ければ厚いほど、図１の釘接合のせん断耐力を測定する説明図で示すように、釘頭３ａが耐力面材２にくい込んで貫通するようなパンチングシアが発生する危険性が減り、高いせん断耐力を獲得して高い壁強さ倍率を得ることができる。
【００２６】
しかしながら補強材の厚さ３３が厚すぎると補強材の重量が重くなって作業性が悪化し、さらに補強材を貫通させて釘３を構造材１に打ち込むことが難しくなる。
【００２７】
したがって、本考案では補強材の厚さ３３は０．５ｍｍ以下としている。補強材の厚さ３３が０．５ｍｍ以下であると、補強材４の重量は軽くなり、Ｎ５０やＮ６５の釘を使用する場合においては容易に補強材を貫通することができる。
【００２８】
本実施例の補強材では、厚さ０．３５ｍｍのＪＩＳ−Ｇ−３３２２：２００８の塗装溶融アルミニュム亜鉛めっき鋼板を使用している。ここで補強材の表面には、耐力面材を構造材に固定するための釘を打つ場所を示す釘打ち位置３５が所定の壁強さ倍率となるように算定された釘打ち間隔３４で表示されている。
【００２９】
ここで、釘打ち間隔３４は使用される釘、使用される耐力面材に応じて所定の壁強さ倍率となるように決定されている。
【００３０】
さらに、異なる釘や異なる耐力面材を使用できるように、あるいは同じ釘や耐力面材を使用していても異なる壁強さ倍率を得るために、一つの補強材に対して異なる釘打ち位置を複数種類表示しても良い。この場合は、使用する釘打ち位置を間違えないように釘打ち位置の表示を異なった形状とすることが好ましい。
【００３１】
釘打ち位置の表示方法としては、図６に示す補強材の釘打ち位置の第１実施例のように補強材の表面に印刷や塗装あるいは標識を貼付する方法や、図７に示す補強材の釘打ち位置の第２実施例のようにポンチ等で補強材の表面に凹みを付ける方法などから選択される。いずれの表示方法であっても、釘打ち位置の表示が容易に消えない方法で表示されていればどのような表示方法でも良い。
【００３２】
なお、釘打ち位置３５が補強材の幅３２の中央部分に表示されていると、釘３が胴差８、間柱９、柱１０、土台１２などの構造材１からはずれて施工される危険性が減るので好ましい。
【００３３】
本考案の補強材の長さ３１は耐力面材の短辺の長さ１５よりも短く、補強材の幅３２は、耐力面材２を構造材１に固定するための釘の胴部の直径３ｃの６倍から１７倍の長さとされている。
【００３４】
補強材の幅３２は釘頭３ａを保持することが出来ればどのような寸法でも良いが、釘の胴部の直径３ｃが約３．０５ｍｍであるＮ６５の釘を使用する場合は、補強材の幅３２が釘の胴部の直径３ｃに対して６倍の１８．３ｍｍから１７倍の５１．９ｍｍの間であると補強材４を持つときのハンドリング性と釘の打ち込み作業の操作性良く、さらに補強材４に対する釘頭３ａの保持力が安定するので好ましい。釘の胴部の直径３ｃが約２．７５ｍｍであるＮ５０の釘を使用する場合も、同上の理由で補強材の幅３２は釘の胴部の直径３ｃに対して６倍の１６．５ｍｍから１７倍の４６．７５ｍｍの間が好ましい。
【００３５】
Ｎ６５の釘を使用する場合、Ｎ６５の釘頭の直径約７．３ｍｍに対して補強材の幅３２が１８ｍｍでは補強材４に釘３を打ち込む際に補強材が変形し易い。そして補強材の幅３２が５２ｍｍでは補強材４の剛性がアップしてハンドリング性が向上するので釘の打ち込み作業の操作性が良好となり補強材４に対する釘頭３ａの保持力も安定するものの、材料費が嵩みコストアップとなってしまう。
【００３６】
Ｎ５０の釘を使用する場合、Ｎ５０の釘頭の直径約６．６ｍｍに対して補強材の幅３２が１６ｍｍでは補強材４に釘３を打ち込む際に補強材が変形し易い。そして補強材の幅３２が４７ｍｍでは補強材４の剛性がアップしてハンドリング性が向上するので釘の打ち込み作業の操作性が良好となり補強材４に対する釘頭３ａの保持力も安定するものの、材料費が嵩みコストアップとなってしまう。
【００３７】
本実施例では、耐力面材として短辺の長さが９１０ｍｍ×長辺の長さが２７３０ｍｍ×厚さ９ｍｍのパルプ・けい酸質混入セメント板を使用して、Ｎ６５の釘を７５ｍｍの釘打ち間隔で補強材を介して構造材に固定することによって、５．０倍の壁強さ倍率を得た。
【００３８】
本実施例の補強材の幅３２は釘の胴部の直径の９．８倍の３０ｍｍとし、補強材の長さは一般な耐力面材の短辺の長さである９１０ｍｍや１０００ｍｍよりも短い８３０ｍｍとしている。ここで、補強材の幅が３０ｍｍそして長さが８３０ｍｍであるので、図５のように耐力面材の短辺に１枚、耐力面材の長辺には３枚の補強材を使用することができるので、補強材を切断加工する必要がなく作業性が良い。
【００３９】
補強材４が耐力面材２と接する面には、補強材４を耐力面材２に仮固定するための突出部３６が補強材４の両端部を含めて２カ所以上に形成されている。この突出部３６により、耐力面材２を胴差８，間柱９，柱１０、土台１２、継ぎ手間柱１３などの構造材１に固定する前に、補強材４の突出部３６を耐力面材２に圧入することにより補強材４を耐力面材２の所定の位置に一時的に固定することができる。
【００４０】
突出部の形状の例を図８から図１０で例示する。図８は円錐状の凸部が耐力面材側の面に形成されている突出部３６（３６１）の例である。ここで、図８（ａ）は補強材４を幅方向に切断した時の断面図である、また図８（ｂ）は平面図である。ここで突出部の先端３７（３７１）は円錐の先端部となっている。
【００４１】
図９は補強材４を三角形に切り欠いて三角形のつばを耐力面材側の面に形成されている突出部３６（３６２）の例である。ここで図９（ａ）は補強材４を幅方向に切断した時の断面図である。また図９（ｂ）は平面図である。さらに図９（ｃ）は補強材４を長さ方向に切断したときの突出部３６（３６２）での断面図である。ここで突出部の先端３７（３７２）は三角形の頂点となっている。図９の突出部の先端３７（３７２）は耐力面材にくい込むように嵌入することが可能となるので、図８の円錐形からなる突出部の先端３７（３７１）よりも耐力面材に強固にくい込む。
【００４２】
図１０は穴フランジ３９を耐力面材側の面に形成した突出部３６（３６３）の例である。ここで図１０（ａ）は補強材４を幅方向に切断した時の断面図である。また図９（ｂ）は平面図である。ここで突出部の先端３７（３７３）は穴フランジ３９のつば先となっている。したがって図１０の突出部の先端３７（３７３）は耐力面材２に円形に嵌入するので、図９の三角形のつばからなる突出部の先端３７（３７２）よりもさらに強固に耐力面材２にくい込む。
【００４３】
ここで、穴フランジ３９の形状は図１０の丸以外にも、楕円、四角、三角等どのような形状でも良いが、穴フランジ３９の加工のし易さからは丸が好適である。また穴フランジの先端３７（３７３）は補強材４の表面に対して直角に形成されていると耐力面材２に嵌入しやすいので好ましい。
【００４４】
さらに突出部３６が釘打ち位置３５と同じ場所に形成されていると、釘打ち位置３５と突出部３６の加工を同時に実施することができるので、補強材４の加工工程を減らすこととなり、突出部３６と釘打ち位置３５とが混同されにくく好ましい。
【符号の説明】
【００４５】
１  構造材
２  耐力面材
３  釘
３ａ  釘頭
３ｂ  釘胴部
３ｃ  釘の胴部の直径
４  補強材
５  荷重方向
６  構造材内部の釘による空隙部
７  パンチングシア
８  胴差
９  間柱
１０  柱
１１  補強金物
１２  土台
１３  継手間柱
１５  短辺の長さ
３１  補強材の長さ
３２  補強材の幅
３３  補強材の厚さ
３４  釘打ち間隔
３５  釘打ち位置
３６  突出部
３７  突出部の先端
３８  フランジ
３９  穴フランジ 
【図１】
0003175563.tif 000003
【図２】
0003175563.tif 000004
【図３】
0003175563.tif 000005
【図４】
0003175563.tif 000006
【図５】
0003175563.tif 000007
【図６】
0003175563.tif 000008
【図７】
0003175563.tif 000009
【図８】
0003175563.tif 000010
【図９】
0003175563.tif 000011
【図１０】
0003175563.tif 000012